(57)【要約】【課題】下水中には腐食成分が含まれており、沈澱した汚泥には腐食成分が凝縮されているため、フライト内部に汚泥が詰まり、経時的にそれが腐敗してくると、ステンレス製であっても内面から腐蝕が進行する恐れがある。また内部に空間のないフライトは汚泥が詰まることもなく、耐腐食性面では良好である。しかし、断面形状がコの字状であるため捩れに対する剛性が不十分である。【解決手段】沈殿池内を移動し、堆積した汚泥を所定方向に掻き寄せる掻寄機のフライトであって、ステンレス鋼で形成されて内部に中空部を有し、何れかの面に内部の中空部と連通する開口部が形成されている汚泥掻寄機のフライト。【選択図】        図１
2004283786.tif 000002
【特許請求の範囲】
【請求項１】
沈殿池内を移動し、堆積した汚泥を所定方向に掻き寄せる掻寄機のフライトであって、
ステンレス鋼で形成されて内部に中空部を有し、フライトの何れかの面に内部の中空部と連通する開口部が形成されていることを特徴とする汚泥掻寄機のフライト。
【請求項２】
前記開口部が掻寄背面に設けられた請求項１記載の汚泥掻寄機のフライト。
【請求項３】
請求項１または２に記載のフライトを無端チェンにより回動させることを特徴とする汚泥掻寄機。
【発明の詳細な説明】
【０００１】
【発明の属する技術分野】
本発明は、上水処理場、下水処理場、浄水場等の沈殿池に使用されるリンクベルト式汚泥掻寄機に用いられるフライトに関するものである。
【０００２】
【従来の技術】
リンクベルト式汚泥掻寄機は、図４に示すように、沈殿池１０中に回転自在に軸支された頭部スプロケットホイル１１、及び尾部スプロケットホイル１２、前記各スプロケットホイルに並列に巻掛けられた無端チェ１３ン、前記並列した無端チェン１３に取付けられたフライト１４を構成部品として備え、無端チェン１３を回動させることでフライト１４をエンドレスに移動させ、沈殿池１０に堆積した汚泥を所定方向Ｇに掻き寄せて集泥ピット１５に集めるもので、その構造は公知である。従来、フライト１４には、木材や合成木材あるいは合成樹脂が用いられてきたが、最近では、環境面でリサイクルが可能で、かつ耐食製を有する材料としてステンレスを用いることが提案され、例えば特開２０００−３３４２１６号公報（特許文献１）や特開２００２−２４８３０２号公報（特許文献２）に記載されている。
【０００３】
特許文献１におけるフライトは、池底あるいは池底に敷設したガイドレールとの接触による摩耗を低減するため、適当な浮力を生じるようにすることを目的としており、ステンレス鋼等の耐腐食鋼製の角パイプを用い、その中空部に浮力発生材を挿入し、浮力発生材が抜け出さない程度に両端部に蓋をした構造とし、適宜浮力発生材の大きさや形状を調整することで浮力を調整可能とすることが記載されている。
また、特許文献２においては、耐摩耗性が高くて、しかも環境ホルモンの溶出の恐れのない汚泥掻寄機を提供することを目的としており、掻寄機の少なくとも一部の構成部品にオーステナイト系ステンレス鋼を用いることが記載されている。フライトをオーステナイト系ステンレス鋼製とした場合は、断面がコの字型になるように折り曲げて溶接を使用しないで製作することが説明されている。
【０００４】
【特許文献１】
特開２０００−３３４２１６号公報（段落番号〔００１６〕、図１）
【特許文献２】
特開２００２−２４８３０２号公報（段落番号〔００１２〕、図２）
【０００５】
【発明が解決しようとする課題】
下水中には腐食成分が含まれており、沈澱した汚泥には腐食成分が凝縮されているため、フライト内部に汚泥が詰まり、経時的にそれが腐敗してくると、ステンレス製であっても内面から痛んでくる恐れがある。また、沈殿池内に腐敗した汚泥が停滞すると、沈殿池の水質を悪化させるとともに悪臭の原因となる。この点で、特許文献１記載のフライトは、中空部に汚水や汚泥が侵入することを許容した構造であるにもかかわらず、汚泥を排出するような構造にはなっておらず、中空部に汚泥が堆積し腐敗していく。このため、部材が腐食したり、沈殿池の水質を悪化させるという問題がある。一方、特許文献２記載のフライトは、材質的に耐食性の優れた種類のステンレス鋼を使用しており、また内部に中空部がないため汚泥が堆積することはなく、部材の耐久性や水質悪化抑制と言う点では好ましい。しかし、断面形状がコの字状であるため捩れに対する剛性が不十分である。沈殿池の幅が広いときはフライトもより長尺のものを使用する。この場合、無端チェンの取り付け幅も広くなるためフライトは二本の無端チェンから捩れを生じる応力を受けやすくなり掻寄面が変形し、汚泥をうまく掻寄せることができない、という問題がある。
【０００６】
従って本発明は、リサイクルが可能で、耐食性にもすぐれ、またねじり変形が抑制でき、かつ沈殿池の水質を悪化させることのない、掻寄機のフライトを提供することを目的としている。
【０００７】
【課題を解決するための手段】
本発明の汚泥掻寄機のフライトは、沈殿池内を移動し、堆積した汚泥を所定方向に掻き寄せる掻寄機のフライトであって、ステンレス鋼で形成されて内部に中空部を有し、フライトの何れかの面に内部の中空部と連通する開口部が形成されていることを特徴とする。上記開口部は、掻寄背面に設けられることが好ましく、掻寄背面と両端面とに設けられることがさらに好ましい。なお、上記開口部は、汚泥が中空部から排出し易いように形成されたものを言う。本発明の汚泥掻寄機は、無端チェンにより前記フライトを回動させることを特徴とする。
【０００８】
【発明の実施の形態】
本発明のフライト１は、図４で説明した従来のリンクベルト式汚泥掻寄機のフライト１４と同様に、無端チエン１３に所定間隔で多数取り付けられ、沈殿池１０中をＧ方向にエンドレスで移動し、沈殿池１０の底部では敷設されたレール２上を摺動し、沈殿池底部の堆積物を掻き寄せて集泥ピット１５に集めるものである。図１に、両端部が無端チエン（図示せず）に取り付けられ、沈殿池の底部レール２と摺接状態にあるフライト１の一つを示すが、矢印Ｇ方向に移動し汚泥を掻き寄せる。フライト１は、幅Ｗ、高Ｈ、厚さｔのステンレス製の矩形角パイプを、沈殿池の幅に合わせて適切な長さＬに切断して用いる。図１におけるフライト１各面の名称を次のように称し、以降の説明に用いる。前面の汚泥を掻き寄せる面を掻寄面Ａ、その反対面を掻寄背面Ｂ、レール２に対向する面をレール面Ｃ、その反対面をレール背面Ｄ、端面を側面Ｅとする。
【０００９】
フライト１は、掻寄面Ａ以外の面に、パイプの中空部３が外部と連通する開口部を有していることが好ましい。これにより、フライト１の中空部３は、開口部を通じて汚水と連通されるので、角パイプはその質量と体積で決まるほぼ一定の重力方向荷重をレールに作用する。従って、フライト１は浮き上がったりすることなくレール２上を摺動するので、安定して沈殿した汚泥を掻き寄せることができる。また、中空部３には汚泥が出入りするので、開口部は中に入った汚泥が出易くなるように形成する。従って、開口部は、フライト１の移動過程で下方を向く面に形成するとよいが、排出された汚泥が沈殿池底部に溜まりやすいような位置で下方を向く面が好ましく、集泥ピット１５近くで下方を向く掻寄背面Ｂに開口部４を加工するとよい。なお、両側面Ｅが開放されている方が中空部３内で汚泥が流動しやすいため、折り曲げや切断によって形成されるフライト両端の開口はそのまま開口部として残すことが好ましい。
【００１０】
これより、汚水及び汚泥は、両側面Ｅ及び掻寄背面Ｂの開口部４から、フライト１の中空部３に出入りする。フライト１は、沈殿池底部の堆積物を掻き寄せて集泥ピット１５に集めた後、集泥ピット１５上またはその近傍で池表面に向かって上昇し、表面近くで上レール１６で支持され掻き寄せ方向と逆方向に戻るように移動する。この上昇過程で、掻寄背面Ｂは下方向に向き、開口部４から中空部３内の汚泥が落下していくので、汚泥がフライト１の中空部３に堆積していくことはない。図４において汚水は紙面に向かって左から右へ流れる。沈殿池１０の下流側には越流堰（図示省略）が設けられ、そこから汚泥が沈殿分離されたあとの上澄水が流れ出る。前記上昇過程でフライトから落下した汚泥は一旦は汚水中に分散するが、その汚水が越流堰に達するまでには再び沈殿するので越流水とともに流出することはない。したがって、本発明のフライトがその内部空間に溜まった汚泥を排出する位置は越流堰から十分に離れた位置、すなわち上記の上昇過程であることが好ましい。上昇過程で汚泥を排出するには、そのときに下を向く面（掻寄背面Ｂ）に開口部を設けるのが好ましいのである。汚泥がフライトからスムースに落下排出していくためには、開口部４一つ一つの面積及び総面積は、掻寄背面部材が剛性的、強度的に許容される範囲内で大きい程よく、図２に示すように、円状、楕円状、矩形状、三角形状等の穴を、一列或いは千鳥状等に数列設けるとよい。
【００１１】
開口部４は、掻寄背面Ｂに加え、レール背面Ｄやレール面Ｃにも設けてよい。図３はレール背面Ｄにも設けた例である。この場合、フライト１が戻り過程で沈殿池１０の表面近くを移動している時、レール背面Ｄが下を向くので、中空部３に残った汚泥はレール背面Ｄに形成した開口部４から抜けることになる。どの面にどの程度の開口部を形成するかは、排出された汚泥の挙動や、該面が角パイプの強度部材としての貢献度とフライト１の許容ねじり量等とを考慮して適宜決めればよく、形状は図２で示すものと同様でよい。なお、どの面であっても、シュー取り付け部や無端チエンの取り付け部には形成しない。また、フライト１の剛性は、側面Ｅが開放されたままよりも、少しでも塞ぐようにした方が向上するため、側面Ｅに側板を取り付けて、この側板に中空部３の断面積より小さな断面積の開口部を形成するようにしてもよい。また、少しでも汚泥が抜けやすいように、側面Ｅの一部例えば中央部分を板材で連結するようにしてもよい。
【００１２】
本発明のフライト１は、断面が閉じた中空構造体であり、縦横の外寸が同じであれば、断面がコの字、Ｌ字或いはＳ字状などの開かれた形状の構造体に比べて、断面二次極モーメントが大きくねじりに対して強い。フライト部材としては、市販の溶接で完全閉構造となった角パイプを用いるとよいが、所定の矩形寸法に折り曲げ成形して用いてもよい。この場合、折り曲げ端部を突き当てて全長に亘って溶接してもよいが、一部のみを溶接したり、突き当て部が弾性力で当接されるように折り曲げてもよい。なお、フライトの材質としては、オーステナイト系ステンレス鋼、例えばＳＵＳ３０４やＳＵＳ３１６とすると、硫酸塩還元菌による腐食の抑制と、更に同種金属により電食による腐食を防止を図ることができて好ましい。なお、リサイクルが可能であることは言うまでもない。
【００１３】
【発明の効果】
本発明の汚泥掻寄機のフライトは以下の効果を有する。
（１）フライト内部から汚泥が排出し易いので、フライト内部に腐敗した汚泥が停滞することがない。
（２）フライトのねじり剛性を高くできるので、掻き寄せ面の変形が抑えられ、掻き寄せ効率が良い。
（３）フライトには、安定した重力方向の荷重がかかるので、掻き寄せが良好に行える。
（４）フライトのリサイクル化が可能となるので、環境面で有利となる。
【図面の簡単な説明】
【図１】本発明の汚泥掻寄機のフライトの一例を示す図である。
【図２】フライトの面に形成する開口部の例を示す図である。
【図３】本発明の汚泥掻寄機のフライトの他の例を示す図である。
【図４】リンクベルト式汚泥掻寄機を説明するための図である。
【符号の説明】
１…フライト、  ２…底レール、  ３…フライト中空部、
４…開口部、１０…沈殿池、  １３…無端チエン、
１４…フライト、  １５…集泥ピット、
Ａ…フライト掻寄面、  Ｂ…フライト掻寄背面、
Ｃ…フライトレール面、Ｄ…フライトレール背面、
Ｅ…フライト側面、  Ｇ…フライト移動方向、
【図１】
2004283786.tif 000003
【図２】
2004283786.tif 000004
【図３】
2004283786.tif 000005
【図４】
2004283786.tif 000006